(57)【要約】  本発明の実施例によると、セルラ装置を地理的に位置決めする方法が開示される。本方法は、セルラ網の第１セルと第２セルの各々の有効セル区域を決定する段階と、セルラ装置の制御が第１セルから第２セルへ転送された時にセルラ装置が位置するであろうハンドオーバー区域を決定する段階と、を含み、ハンドオーバー区域と第１セルと第２セルの各々の有効セル区域の決定は、第１セルと第２セルの位相関係を基に行われる。さらに関係する装置実施例もまた開示される。
2008506285.tif 000002
【特許請求の範囲】
【請求項１】
セルラ装置を地理的に位置決めする方法において、
セルラ網の第１セルと第２セルの各々の有効セル区域を決定する段階と、
セルラ装置の制御が第１セルから第２セルへ転送されたときにセルラ装置が位置するであろうハンドオーバー区域を決定する段階と、を含み、
前記第１セルと第２セルの各々の前記ハンドオーバー区域と前記有効セル区域の決定は前記第１セルと第２セルとの間の位相的関係を基にしている、
セルラ装置を地理的に位置決めする方法。
【請求項２】
請求項１記載の方法において、
前記第１セルと第２セルの間の受信等強度線の周りの半影区域を決定する段階と、
を含む方法。
【請求項３】
請求項１記載の方法において、セルラ網は前記第１セルの第１アンテナと前記第２セルの第２アンテナとを含み、位相関係は：
前記第１アンテナと第２アンテナが共通の位置に配置されている第１位相ケースと、
前記第１アンテナと第２アンテナが異なる位置に配置され、前記第１セルと第２セルが互いに向き合って位置している第２位相ケースと、
前記第１アンテナと第２アンテナが異なる位置に配置され、前記第１セルと第２セルが重なり合わない第３位相ケースと、
前記第１、第２及び第３位相ケースのどれも満たされない第４位相ケースと、
から決定される方法。
【請求項４】
請求項３記載の方法において、位相関係が前記第１、第２、または第３位相ケースの内のどれかに決定された時に、前記第１セルと第２セルとの間の前記受信等強度線の周りの半影区域を決定する段階をさらに含む、方法。
【請求項５】
請求項２または４記載の方法において、
前記第１セルの有効セル区域を前記半影区域と交差させることにより第１セルの可能なハンドオーバー区域を決定する段階と、
前記第２セルの有効セル区域を前記半影区域と交差させることにより第２セルの可能なハンドオーバー区域を決定する段階と、
前記第１セルの可能なハンドオーバー区域と前記第２セルの可能なハンドオーバー区域の結合を形成することによりセルラ装置の制御の転送のハンドオーバー区域を決定する段階と、
をさらに含む方法。
【請求項６】
請求項１記載の方法において、
前記第１セルの有効セル区域を前記第２セルの有効セル区域と交差させることによりセルラ装置の制御の転送の前記ハンドオーバー区域を決定する段階と、
をさらに含む方法。
【請求項７】
請求項３記載の方法において、位相関係が前記第４位相ケースであるものと決定された時に、前記第１セルの有効セル区域を前記第２セルの有効セル区域と交差させることによりセルラ装置の制御の転送の前記ハンドオーバー区域を決定する段階と、さらに含む方法。
【請求項８】
請求項１記載の方法において、前記有効セル区域を決定する段階はセル識別子データを使用することを含む、方法。
【請求項９】
請求項１記載の方法において、前記有効セル区域を決定する段階は時間進行データを使用することを含む、方法。
【請求項１０】
請求項１記載の方法において、前記有効セル区域を決定する段階は前記第１セルと第２セルの有効半径を決定する段階を含む、方法。
【請求項１１】
請求項１０記載の方法において、前記第１セルの第１アンテナと第２セルの第２アンテナが共通位置に配置されている時、有効半径をセクタ形状のセルの半径として決定する、方法。
【請求項１２】
請求項１０記載の方法において、前記第１セルの第１アンテナと第２セルの第２アンテナが前記共通位置に位置していない時、有効半径を第１アンテナと第２アンテナ間の距離と第１セルと第２セルの間の位相関係を基にした定数要素との積により決定する、方法。
【請求項１３】
請求項１０記載の方法において、前記有効セル区域を決定する段階は、セクタ形状のセルの縁を拡張する段階をさらに含む方法。
【請求項１４】
請求項１３記載の方法において、前記セクタ形状のセルの縁を拡張する段階は、前記第１セルの第１アンテナが前記第２セル内に含まれる時、かつ前記第１アンテナと第２セルの第２アンテナとの間の線と第２セルのセクタ限界線とにより形成される角度βが所定の角度αより小さい時に、
前記セクタ限界線を越えて第２セルを拡張する段階と、
を含む方法。
【請求項１５】
請求項１４記載の方法において、前記第２セルは前記セクタ限界線を超えた矩形拡張部により拡張される、方法。
【請求項１６】
請求項１３記載の方法において、セクタ形状のセルの縁を拡張する段階は、前記第１セルの第１アンテナは前記第２セルの外側にある時、かつ第２セルのセクタ限界線と第１アンテナと第２セルの第２アンテナとの間の線とにより形成される内部角が１８０度より大きい時に、
セクタ限界線を越えて第２セルを拡張する段階と、
を含む方法。
【請求項１７】
請求項１６記載の方法において、前記第２セルはセクタ限界線を超えた矩形拡張部により拡張される、方法。
【請求項１８】
請求項１６記載の方法において、前記第２セルは２つのセクタ限界線を超えた矩形拡張部により拡張された、方法。
【請求項１９】
請求項１８記載の方法において、前記第２セルは２つの矩形拡張部により拡張され、２つの矩形拡張部を接続する３角形拡張部により第２セルを拡張する段階をさらに含む、方法。
【請求項２０】
請求項２または４記載の方法において、前記半影区域を決定する段階は、
等強度の線の位置を決定する段階と、
前記等強度の線の周りの矩形ストリップを決定する段階と、
を含む、方法。
【請求項２１】
請求項２０記載の方法において、前記等強度の線の位置を決定する段階は、前記第１セルの第１アンテナと前記第２セルの第２アンテナが共通位置に配置されている時、第１セルの第１方位角と第２セルの第２方位角により形成される角度の半分として等強度の線を決定する段階を含む、方法。
【請求項２２】
請求項２０記載の方法において、等強度の線を決定する前記段階は、前記第１セルの第１アンテナと前記第２セルの第２アンテナとを接続する線に垂直な中央線を形成する段階を含む、方法。
【請求項２３】
請求項２０記載の方法において、前記矩形ストリップは前記等強度の線の周りに非対称幅である、方法。
【請求項２４】
請求項２３記載の方法において、前記等強度の線とセルラ装置が入っていこうとしているセルに近接する第１ストリップ限界との間の第１矩形ストリップの幅Ｗ１は、等強度の線とセルラ装置が出ていこうとしているセルに近接する第２ストリップ限界との間の第２矩形ストリップの幅Ｗ２より長い、方法。
【請求項２５】
請求項１記載の方法において、
少なくとも部分的にハンドオーバー区域を基に車両交通データを発生する段階と、
をさらに含む、方法。
【請求項２６】
請求項２５記載の方法において、
セルラ網から受信したデータをサンプリングしてハンドオーバー区域を決定する段階と、
をさらに含む、方法。
【請求項２７】
請求項２６記載の方法において、
複数個の異なる移動センサ源からの車両位置データをサンプリングして車両交通データを発生する段階と、
をさらに含む、方法。
【請求項２８】
請求項２５記載の方法において、
第１セルと第２セルの所定のハンドオーバー区域をデータベースに記憶する段階と、
第１セルと第２セルとの間のハンドオーバーに関するセルラ網からのデータを受信した時にデータベースに問い合わせてハンドオーバー区域を決定する段階と、
をさらに含む、方法。
【請求項２９】
請求項２５記載の方法において、
セルラ網から受信したストリーミング・データに応答するオンライン・サンプラを使用してハンドオーバー区域を決定する段階と、
をさらに含む、方法。
【請求項３０】
請求項１記載の方法において、第１及び第２セルは、周波数分割多重アクセス（ＦＤＭＡ）、時間分割多重アクセス（ＴＤＭＡ）、極性分割多重アクセス（ＰＤＭＡ）、及びコード分割多重アクセス（ＣＤＭＡ）の１つ以上のセルラ網動作原理の一部を含む、方法。
【請求項３１】
請求項１記載の方法において、第３セルの考慮をさらに含み、前記第１、第２及び第３セルはＣＤＭＡまたはＷＣＤＭＡセルラ網の一部を含む、方法。
【請求項３２】
請求項３１記載の方法において、第４セルの考慮をさらに含み、前記第１、第２、第３及び第４セルはＣＤＭＡまたはＷＣＤＭＡセルラ網の一部を含む、方法。
【請求項３３】
第１セルの第１アンテナと第２セルの第２アンテナを含むセルラ網でセルラ装置を地理的に位置決めする方法において、
第１セルと第２セルとの間のｉ個の異なる位相関係の組の各々に対して有効半径Ｒｉを決定する段階と、
第１アンテナが第２セル内に含まれる時、かつ第１アンテナと第２アンテナとの間の線と第２セルのセクタ限界線とにより形成される角度βが角度αより小さい時に、第２セルがセクタ限界線を越えて拡張される角度αを決定する段階と、
角度βが角度αより小さい時に第２セルのセクタ限界線に追加される第１矩形拡張部の第１拡張幅Ｅ１を決定する段階と、
第１アンテナが第２セルの外側にある時、かつ第２セルのセクタ限界線と第１アンテナと第２アンテナとの間の線との間で形成される内角が１８０度以上である時、第２セルのセクタ限界線に追加される第２矩形拡張部の第２拡張幅Ｅ２を決定する段階と、
第１アンテナと第２アンテナとからの信号受信の等強度の線と、セルラ装置が入っていこうとしているセルに隣接する第１ストリップ限界との間の第１矩形ストリップの第１半影幅Ｗ１を決定する段階と、
等強度の線とセルラ装置が出て行こうとしているセルに隣接する第２ストリップ限界との間の第２矩形ストリップの第２半影幅Ｗ２とを決定する段階と、
セルラ装置の制御が第１セルから第２セルへ転送された時にセルラ装置が位置するであろうハンドオーバー区域を決定する段階であって、ハンドオーバー区域の決定は、少なくとも有効半径Ｒｉ、角度α、第１拡張幅Ｅ１、第２拡張幅Ｅ２、第１半影幅Ｗ１、第２半影幅Ｗ２のサブセットを基にして決定する前記段階と、
を含む方法。
【請求項３４】
セルラ装置を地理的に位置決めする装置において、
セルラ網の第１セルと第２セルの各々の有効セル区域を決定する有効セル区域モジュールと、
セルラ装置の制御が第１セルから第２セルへ転送された時にセルラ装置が位置しているであろうハンドオーバー区域を決定するハンドオーバー区域モジュールと、を含み、
ハンドオーバー区域と第１セルと第２セルの各々の有効セル区域の決定は第１セルと第２セルとの間の位相関係を基に行われる、装置。
【請求項３５】
請求項３４記載の装置において、
第１セルと第２セルとの間の受信の等強度の線の周りの半影区域を決定する半影区域モジュールと、
をさらに含む、装置。
【請求項３６】
請求項３４記載の装置において、セルラ網は第１セルの第１アンテナと第２セルの第２アンテナとを含み、位相関係は以下の位相ケースの中から決定され、位相ケースは、
第１アンテナと第２アンテナが共通位置に配置されている第１位相ケースと、
第１アンテナと第２アンテナが異なる位置に配置されていて、第１セルと第２セルが互いに対向して向いている第２位相ケースと、
第１アンテナと第２アンテナが異なる位置に配置されていて、第１セルと第２セルが重なり合わない第３位相ケースと、
第１、第２、及び第３位相ケースのどれも満たされない第４位相ケースと、
を含む装置。
【請求項３７】
請求項３６記載の装置において、半影区域モジュールは、位相関係が第１、第２、または第３の位相ケースのどれかに決定された時に、第１セルと第２セルとの間の等強度受信線のまわりの半影区域を決定する装置を含む、装置。
【請求項３８】
請求項３５または３７記載の装置において、ハンドオーバー区域モジュールは、
第１セルの有効セル区域を半影区域と交差させることにより第１セル可能ハンドオーバー区域を決定し、
第２セルの有効セル区域を半影区域と交差させることにより第２セル可能ハンドオーバー区域を決定し、
第１セル可能ハンドオーバー区域と第２セル可能ハンドオーバー区域との結合を形成することによりセルラ装置の制御の転送用のハンドオーバー区域を決定する装置を含む、装置。
【請求項３９】
請求項３４記載の装置において、ハンドオーバー区域モジュールは、第１セルの有効セル区域を第２セルの有効セル区域と交差させることによりセルラ装置の制御の転送用のハンドオーバー区域を決定する装置を含む、装置。
【請求項４０】
請求項３６記載の装置において、ハンドオーバー区域モジュールは、位相関係が第４位相関係であるものと決定された時に、第１セルの有効セル区域を第２セルの有効セル区域と交差させることによりセルラ装置の制御の転送用のハンドオーバー区域を決定する装置を含む、装置。
【請求項４１】
請求項３４記載の装置において、有効セル区域モジュールはセル識別子データを使用する装置を含む、装置。
【請求項４２】
請求項３４記載の装置において、有効セル区域モジュールは時間進行データを使用する装置を含む、装置。
【請求項４３】
請求項３４記載の装置において、有効セル区域モジュールは第１セル及び第２セルの有効半径を決定する装置を含む、装置。
【請求項４４】
請求項４３記載の装置において、有効セル区域モジュールは、第１セルの第１アンテナと第２セルの第２アンテナが共通位置に配置されている時に、セクタ形状のセルの半径として有効半径を決定する装置を含む、装置。
【請求項４５】
請求項４３記載の装置において、有効セル区域モジュールは、第１セルの第１アンテナと第２セルの第２アンテナが共通位置に配置されていない時に、第１アンテナと第２アンテナとの間の距離と第１セルと第２セルとの間の位相関係を基にした定数要素との積として有効半径を決定する装置を含む、装置。
【請求項４６】
請求項４３記載の装置において、有効セル区域モジュールはセクタ形状のセルの縁の拡張部を決定する装置を含む、装置。
【請求項４７】
請求項４６記載の装置において、有効セル区域モジュールは、
第１セルの第１アンテナが第２セルに含まれているかどうか、第１アンテナと第２セルの第２アンテナ間の線と第２セルのセクタ限界線とにより形成される角度βが所定の角度αより小さいかどうかを決定し、その場合に、
セクタ限界線を越えて第２セルを拡張することにより、
セクタ形状のセルの縁の拡張部を決定する装置を含む、装置。
【請求項４８】
請求項４７記載の装置において、有効セル区域モジュールはセクタ限界線を越えて矩形拡張部により第２セルを拡張する装置を含む、装置。
【請求項４９】
請求項４６記載の装置において、有効セル区域モジュールは、
第１セルの第１アンテナが第２セルの外側にあるかどうか、第２セルのセクタ限界線と第１アンテナと第２セルの第２アンテナ間の線とにより形成される内部角度が１８０度より大きいかどうかを決定し、その場合に、
セクタ限界線を越えて第２セルを拡張することにより、
セクタ形状のセルの縁の拡張部を決定する装置を含む、装置。
【請求項５０】
請求項４９記載の装置において、有効セル区域モジュールはセクタ限界線を越えて矩形拡張部により第２セルを拡張する装置を含む、装置。
【請求項５１】
請求項４９記載の装置において、有効セル区域モジュールは、２つのセクタ限界線を越えて矩形拡張部により第２セルを拡張する装置を含む、装置。
【請求項５２】
請求項５１記載の装置において、有効セル区域モジュールは、２つの矩形拡張部を接続する３角形拡張部により第２セルを拡張する装置を含む、装置。
【請求項５３】
請求項３５または３７記載の装置において、半影区域モジュールは、
等強度の線の位置を決定し、
等強度の線の周りの矩形ストリップを決定する、
装置を含む、装置。
【請求項５４】
請求項５３記載の装置において、等強度の線の位置を決定する装置は、第１セルの第１アンテナと第２セルの第２アンテナが共通位置に配置されている時、第１セルの第１方位角と第２セルの第２方位角により形成される角度の２等分線として等強度の線を決定する装置を含む、装置。
【請求項５５】
請求項５３記載の装置において、等強度の線の位置を決定する装置は、第１セルの第１アンテナと第２セルの第２アンテナを接続する線に垂直な中心線を形成する装置を含む、装置。
【請求項５６】
請求項５３記載の装置において、矩形ストリップは等強度の線の周りに非対称幅である、装置。
【請求項５７】
請求項５６記載の装置において、等強度の線とセルラ装置が入っていこうとしているセルに近接する第１ストリップ限界との間の第１矩形ストリップの幅Ｗ１は、等強度の線とセルラ装置が出て行こうとしているセルに近接する第２ストリップ限界との間の第２矩形ストリップの幅Ｗ２より長い、装置。
【請求項５８】
請求項３４記載の装置において、
車両交通情報システムのサンプラ・モジュールと、
をさらに含む、装置。
【請求項５９】
請求項５８記載の装置において、サンプラ・モジュールは、複数個の異なる移動センサ源からの車両位置データをサンプリングする複数個のサンプラ・サブモジュールを含む、装置。
【請求項６０】
請求項５８記載の装置において、
ハンドオーバー区域を記憶するデータベースであって、セルラ網からのストリーミング・データを基にデータベースに問い合わせ可能となるように、ハンドオーバー区域が予め決定されている、前記データベースと、
をさらに含む装置。
【請求項６１】
第１セルから第２セルへのハンドオーバーが発生する区域を決定することによりセルラ装置を地理的に位置決めする方法において、
前記第１セルと前記第２セルのセル受信区域の少なくとも一部をモデル化する段階と、
前記第１及び第２セル区域の重なり合う部分を含むハンドオーバー区域を定義する段階と、
を含む、セルラ装置を地理的に位置決めする方法。
【請求項６２】
請求項６１記載の方法において、
所定の基準を基にセル受信区域を拡張するかどうか決定する段階と、
をさらに含む、方法。
【請求項６３】
請求項６２記載の方法において、所定の基準は第１セルと第２セルの相対的方向を基にした基準を含む、方法。
【請求項６４】
請求項６２記載の方法において、所定の基準は第１セルと第２セルの相対位置を基にした基準を含む、方法。
【請求項６５】
請求項６１記載の方法において、第１セルと第２セルのセル受信区域の少なくとも一部をモデル化する段階は、第１セルと第２セルの少なくとも一方のセル受信区域の少なくとも一部の初期モデルとして予め定義した形状を使用する段階を含む、方法。
【請求項６６】
請求項６５記載の方法において、予め定義された形状はセクタを含む、方法。
【請求項６７】
請求項６５記載の方法において、予め定義された形状はリング・セクタを含む、方法。
【請求項６８】
請求項６１記載の方法において、ハンドオーバー区域を定義する段階は、ハンドオーバー区域を表す多角形を形成する段階を含む、方法。
【請求項６９】
請求項６１記載の方法において、ハンドオーバー区域を定義する段階は、第１セルと第２セルとの間の受信等強度の線の周りの半影区域形状を形成する段階を含む、方法。
【請求項７０】
請求項６９記載の方法において、半影区域形状は多角形を含む、方法。
【請求項７１】
請求項７０記載の方法において、半影区域形状は矩形を含む、方法。
【請求項７２】
複数台の車両に配置した複数個のセルラ装置の連続位置を決定することにより交通流れを監視する方法において、
複数個のセルラ装置の内の少なくともいくつかの位置を繰り返し決定する段階と、
複数個のセルラ装置の少なくともいくつかの位置をサンプリングして交通流れの現在の図を決定する段階と、を含み、
複数個のセルラ装置の位置を決定する段階は、第１セルから第２セルへのハンドオーバーが発生する区域を決定する段階を含み、ハンドオーバーの決定は、
前記第１セルと前記第２セルのセル受信区域の少なくとも一部をモデル化する段階と、
前記第１及び第２セル区域の重なり合う部分を含むようハンドオーバー区域を定義する段階と、
を基にしている、交通流れを監視する方法。
【請求項７３】
請求項７２記載の方法において、交通流れの現在の図を基に将来の交通状態を予測する段階をさらに含む、方法。
【請求項７４】
請求項７２記載の方法において、セルラ網からのハンドオーバー・データを使用して、セル対の所定のハンドオーバー区域のデータベースに問い合わせすることによりハンドオーバー決定が行われる、方法。
【請求項７５】
請求項７２記載の方法において、ハンドオーバー決定は、セルラ網からのストリーミング・ハンドオーバー・データを使用してオンラインで行われる、方法。
【請求項７６】
請求項７４または７５記載の方法において、ハンドオーバー・データはセル識別子データを含む、方法。
【請求項７７】
請求項７４または７５記載の方法において、ハンドオーバー・データは時間進行データを含む、方法。
【請求項７８】
第１セルから第２セルへのハンドオーバーが発生する区域を決定することによりセルラ装置を地理的に位置決めする装置において、
前記第１セルと前記第２セルのセル受信区域の少なくとも一部をモデル化する有効セル区域モジュールと、
前記第１及び第２セル区域の重なり合う部分を含むハンドオーバー区域を定義するハンドオーバー区域モジュールと、
を含む、セルラ装置を地理的に位置決めする装置。
【請求項７９】
請求項７８記載の装置において、有効セル区域モジュールは、所定の基準を基にセル受信区域を拡張するかどうかを決定する装置を含む、装置。
【請求項８０】
請求項７９記載の装置において、所定の基準は、第１セルと第２セルの相対的な向きを基にした基準を含む、装置。
【請求項８１】
請求項７９記載の装置において、所定の基準は、第１セルと第２セルの相対位置を基にした基準を含む、装置。
【請求項８２】
請求項７８記載の装置において、有効セル区域モジュールは、第１セルと第２セルの少なくとも一方のセル受信区域の少なくとも一部の初期モデルとして予め定義した形状を用いて第１セルと第２セルのセル受信区域の少なくとも一部をモデル化する装置を含む、装置。
【請求項８３】
請求項８２記載の装置において、予め定義した形状はセクタを含む、装置。
【請求項８４】
請求項８２記載の装置において、予め定義した形状はリング・セクタを含む、装置。
【請求項８５】
請求項７８記載の装置において、ハンドオーバー区域モジュールはハンドオーバー区域を表す多角形を形成する装置を含む、装置。
【請求項８６】
請求項７８記載の装置において、ハンドオーバー区域モジュールは、第１セルと第２セルとの間の受信等強度の線の周りの半影区域形状を形成する装置を含む、装置。
【請求項８７】
請求項８６記載の装置において、半影区域形状は多角形を含む、装置。
【請求項８８】
請求項８７記載の装置において、半影区域は矩形を含む、装置。
【請求項８９】
複数台の車両に配置した複数個のセルラ装置の連続位置を決定することにより交通流れを監視する装置において、
セルラ網の第１セルと第２セルの各々の少なくとも一部のモデル化セル受信区域の重なり合う部分を含むハンドオーバー区域を定義するハンドオーバー区域モジュールと、
複数個のセルラ装置のうちの少なくともいくつかの繰返し位置決定の組をサンプリングして交通流れの現在の図を決定するサンプラ・モジュールであって、前記位置決定の各々は、セルラ網の特定の第１セルと第２セルとの間を移動する特定のセルラ装置のハンドオーバー区域モジュールにより定義されたハンドオーバー区域を少なくとも部分的に基にしている、前記サンプラ・モジュールと、
を含む、交通流れを監視する装置。
【請求項９０】
請求項８９記載の装置において、
現在の交通流れの図を基に、将来の交通状態を予測する予測モジュールと、
をさらに含む装置。
【請求項９１】
請求項８９記載の装置において、
セル対に対する所定のハンドオーバー区域を含むハンドオーバー区域データベースと、
をさらに含む装置。
【請求項９２】
請求項９１記載の装置において、ハンドオーバー区域モジュールは、セルラ網からのストリーミング・ハンドオーバー・データを使用してハンドオーバー区域データベースに問い合わせ可能である、装置。
【請求項９３】
請求項８９記載の装置において、ハンドオーバー区域モジュールは、セルラ網からのストリーミング・ハンドオーバー・データを基にハンドオーバー区域をオンラインで決定可能である、装置。
【請求項９４】
請求項９２または９３記載の装置において、ハンドオーバー・データはセル識別子データを含む、装置。
【請求項９５】
請求項９２または９３記載の装置において、ハンドオーバー・データは時間進行データを含む、装置。
【請求項９６】
セルラ装置を地理的に位置決めする方法において、
網の制御機能がセルのアクティブ・セットへのセルの追加と関係するハンドオーバーを実行する時に、セルラ装置が位置するであろうハンドオーバー区域を決定するアルゴリズムを使用する段階と、を含み、
ハンドオーバー区域の決定はアクティブ・セット中の複数個のセル間の位相関係を基にモデル化する段階を含む、方法。
【請求項９７】
請求項９６記載の方法において、
複数個のセル間の等強度受信の線の周りの半影区域を決定する段階と、
をさらに含む方法。
【請求項９８】
請求項９６記載の方法において、セルラ網は各セルのアンテナを含み、位相関係は、前記各アンテナの位置及びまたは向きを考慮した位相ケースの組から決定される、方法。
【請求項９９】
請求項９６記載の方法において、
第１セルの有効セル区域を半影区域と交差させることにより第１の可能なハンドオーバー区域を決定する段階と、
別の有効セル区域を別の半影区域と交差させることにより１つ以上の別な可能ハンドオーバー区域を決定する段階と、
第１セル可能ハンドオーバー区域及びまたは各別の可能ハンドオーバー区域の結合を形成することによりモデル化ハンドオーバー区域を決定する段階と、
をさらに含む方法。
【請求項１００】
請求項９６記載の方法において、
アクティブ・セット中のセルの複数個の有効セル区域を交差させることによりセルラ装置のハンドオーバー区域を決定する段階と、
をさらに含む方法。
【請求項１０１】
請求項９６記載の方法において、有効セル区域を決定する段階は、セル識別子データを使用する段階を含む、方法。
【請求項１０２】
請求項９６記載の方法において、有効セル区域を決定する段階は、時間進行データを使用する段階を含む、方法。
【請求項１０３】
請求項９６記載の方法において、有効セル区域を決定する段階は、アクティブ・セットを構成する複数個のセル上の各セルの有効半径を決定する段階を含む、方法。
【請求項１０４】
請求項１０３記載の方法において、有効半径はセクタ形状セルの半径として決定される、方法。
【請求項１０５】
請求項１０３記載の方法において、有効半径は、第１アンテナと第２アンテナとの間の距離とセル間の位相関係を基にした定数要素との積として決定される、方法。
【請求項１０６】
請求項９６記載の方法において、ハンドオーバー区域は複数個の有効セル区域を基に決定され、前記有効セル区域の１つ以上は少なくとも１つの矩形拡張部により拡張されるものとしてモデル化される、方法。
【請求項１０７】
請求項９６記載の方法において、ハンドオーバー区域は半影区域を基に決定され、半影区域を決定する段階は、
等強度の線の位置を決定する段階と、
等強度の線の周りの少なくとも１つの部分を決定する段階と、
を含む、方法。
【請求項１０８】
請求項１０７記載の方法において、この部分は等強度の線の周りに非対称である、方法。
【請求項１０９】
請求項９６記載の方法において、
少なくとも部分的にハンドオーバー区域決定を基に車両交通データを発生する段階と、
を含む方法。
【請求項１１０】
請求項１０９記載の方法において、
セルラ網から受信したデータをサンプリングしてハンドオーバー区域を決定する段階と、
をさらに含む方法。
【請求項１１１】
請求項１０９記載の方法において、
複数個の異なる移動センサ源からの車両位置データをサンプリングして車両交通データを発生する段階と、
をさらに含む方法。
【請求項１１２】
請求項１０９記載の方法において、
複数個のセルの所定のハンドオーバー区域をデータベースに記憶する段階と、
第１セルと第２セルとの間のハンドオーバーに関係するセルラ網から受信したデータに応答して、データベースをアクセスしてハンドオーバー区域を決定する段階と、
をさらに含む方法。
【請求項１１３】
請求項１０９記載の方法において、
セルラ網から受信したストリーミング・データに応答するオンライン・サンプラを使用してハンドオーバー区域を決定する段階と、
をさらに含む方法。
【請求項１１４】
セルラ装置を地理的に位置決めする装置において、
移動装置と関連して定義されたセルのアクティブ・セット中の複数個のセルの各々の有効セル区域を決定する有効セル区域モジュールと、
網の制御機能がセルのアクティブ・セットへのセルの追加と関係するハンドオーバーを実行する時に、セルラ装置が位置するであろうハンドオーバー区域を決定するハンドオーバー区域モジュールと、を含み、
複数個のセルの各々のハンドオーバー区域と有効セル区域の決定は前記複数個のセル間の位相関係を基にしている、
セルラ装置を地理的に位置決めする装置。
【請求項１１５】
請求項１１４記載の装置において、
複数個のセル間の等強度受信の線の周りの半影区域を決定する半影区域モジュールと、
をさらに含む装置。
【請求項１１６】
請求項１１４記載の装置において、セルラ網は各セルのアンテナを含み、位相関係は所定の位相ケース、３４の組の中から決定される。請求項３３記載の装置において、半影区域モジュールは、位相ケースが第１、第２、または第３位相ケースの内の１つであると決定された時に、第１セルと第２セルとの間の等強度受信の線の周りに半影区域を決定する装置を含む、装置。
【請求項１１７】
請求項１１４記載の装置において、ハンドオーバー区域モジュールは、
複数個のセルの第１セルの有効セル区域を半影区域と交差させることにより第１の可能セル・ハンドオーバー区域を決定する装置と、
別のセルの有効セル区域を半影区域と交差させることにより少なくとも１つの別な可能セル・ハンドオーバー区域を決定する装置と、
可能ハンドオーバー区域の結合を形成することによりハンドオーバー区域を決定する装置と、
を含む、装置。
【請求項１１８】
請求項１１４記載の装置において、ハンドオーバー区域モジュールは、第１セルの有効セル区域を別のセルの有効セル区域と交差させることによりハンドオーバー区域を決定する装置を含む、装置。
【請求項１１９】
請求項１１４記載の装置において、有効セル区域モジュールは、セル識別子データを使用する装置を含む、装置。
【請求項１２０】
請求項１１４記載の装置において、有効セル区域モジュールは、時間進行データを使用する装置を含む、装置。
【請求項１２１】
請求項１１４記載の装置において、有効セル区域モジュールは、第１セルと別のセルの有効半径を決定する装置を含む、装置。
【請求項１２２】
請求項１１４記載の装置において、有効セル区域モジュールは、セクタ形状のセルの半径として有効半径を決定する装置を含む、装置。
【請求項１２３】
請求項１２２記載の装置において、有効セル区域モジュールは、少なくとも第１セルの第１アンテナと別のセルの別なアンテナとの間の距離と少なくとも第１セルと別のセルとの間の位相関係を基にした定数要素との積として有効半径を決定する装置を含む、装置。
【請求項１２４】
請求項１１４記載の装置において、有効セル区域モジュールは拡張セルを決定する装置を含む、装置。
【請求項１２５】
請求項１１５記載の装置において、半影区域モジュールは、
等強度の線の位置を決定する装置と、
半影区域の一部を形成するべき等強度の線の周りの部分を決定する装置と、
を含む、装置。
【請求項１２６】
請求項１２５記載の装置において、部分は等強度の線の周りに非対称である、装置。
【請求項１２７】
請求項１１４記載の装置において、
車両交通情報システムのサンプラ・モジュールと、
をさらに含む、装置。
【請求項１２８】
請求項１１４記載の装置において、
ハンドオーバー区域を記憶するデータベースであって、セルラ網からのストリーミング・データを基にデータベースを問い合わせ可能とするようにハンドオーバー区域が予め決定されている、前記データベースと、
をさらに含む装置。
【請求項１２９】
第１セルまたはセルの群から別のセルへのハンドオーバーが発生する区域を決定することによりセルラ装置を地理的に位置決めする方法において、
前記第１セルまたはセルの群と前記別のセルのセル受信区域の少なくとも一部をモデル化する段階と、
前記第１セルまたはセルの群と前記別のセルの重なり合う部分を含むハンドオーバー区域を定義する段階と、
を含む、セルラ装置を地理的に位置決めする装置。
【請求項１３０】
請求項１２９記載の方法において、
所定の基準を基に１つ以上の前記セルのセル受信区域を拡張するかどうか決定する段階と、
をさらに含む方法。
【請求項１３１】
請求項１３０記載の方法において、所定の基準は第１セルまたはセルの群と別のセルの相対的向きを基にした基準を含む、方法。
【請求項１３２】
請求項１３０記載の方法において、所定の基準は第１セルまたはセルの群と別のセルの相対位置を基にした基準を含む、方法。
【請求項１３３】
請求項１２９記載の方法において、第１セルまたはセルの群と別のセルのセル受信区域をモデル化する段階は、第１セルまたはセルの群と第２セルの内の少なくとも１つのセル受信区域の少なくとも一部の初期モデルとして予め定義した形状を試用する段階を含む、方法。
【請求項１３４】
請求項１３３記載の方法において、予め定義した形状はセクタを含む、方法。
【請求項１３５】
請求項１３３記載の方法において、予め定義した形状はリング・セクタを含む、方法。
【請求項１３６】
請求項１２９記載の方法において、ハンドオーバー区域を定義する段階は、ハンドオーバー区域を表す多角形を形成する段階を含む、方法。
【請求項１３７】
請求項１２９記載の方法において、ハンドオーバー区域を定義する段階は、第１セルと第２セルとの間の等強度の受信線の周りの半影区域形状を形成する段階を含む、方法。
【請求項１３８】
請求項１３７記載の方法において、半影区域形状は多角形を含む、方法。
【請求項１３９】
複数台の車両に配置された複数個のセルラ装置の連続位置を決定することにより交通流れを監視する方法において、
複数個のセルラ装置の少なくともいくつかの位置を繰返し決定する段階と、
セルラ装置の少なくともいくつかの位置をサンプリングして交通流れの図を決定する段階と、を含み、
複数のセルラ装置の位置を決定する段階はハンドオーバーが発生する区域を決定する段階を含み、ハンドオーバー決定は、
第１セルまたはセルの群と別のセルのセル受信区域の少なくとも一部をモデル化する段階と、
前記第１セル区域またはセルの群区域及び別のセル区域の重なり合う部分を含むようハンドオーバー区域を定義する段階と、
を含む、交通流れを監視する方法。
【請求項１４０】
請求項１３９記載の方法において、交通流れの図を基に将来の交通状態を予測する段階をさらに含む、方法。
【請求項１４１】
請求項１３９記載の方法において、セルラ網からのハンドオーバー・データを使用して、セル対及びセル組の所定のハンドオーバー区域のデータベースに問い合わせることによりハンドオーバー決定が行われる、方法。
【請求項１４２】
請求項１３９記載の方法において、ハンドオーバー決定はセルラ網からのストリーミング・ハンドオーバー・データを使用して行われる、方法。
【請求項１４３】
請求項１４１または１４２記載の方法において、ハンドオーバー・データはセル識別子データを含む、方法。
【請求項１４４】
請求項１４１または１４２記載の方法において、ハンドオーバー・データは時間進行データを含む、方法。
【請求項１４５】
第１セルまたはセルの群から別のセルへのハンドオーバーが発生する区域を決定することによりセルラ装置を地理的に位置決めする装置において、
前記第１セルまたはセルの群と別のセルのセル受信区域の少なくとも一部をモデル化する有効セル区域モジュールと、
前記第１セルまたはセルの群の区域と別のセル区域の重なり合う部分を含むハンドオーバー区域を定義するハンドオーバー区域モジュールと、
を含む、セルラ装置を地理的に位置決めする装置。
【請求項１４６】
請求項１４５記載の装置において、有効セル区域モジュールは、所定の基準を基にセル受信区域を拡張するかどうかを決定する装置を含む、装置。
【請求項１４７】
請求項１４６記載の装置において、所定の基準は、第１セルまたはセルの群と別のセルの相対的向きを基にした基準を含む、装置。
【請求項１４８】
請求項１４６記載の装置において、所定の基準は、第１セルまたはセルの群と別のセルの相対位置を基にした基準を含む、装置。
【請求項１４９】
請求項１４５記載の装置において、有効セル区域モジュールは、第１セルまたはセルの群と第２セルの少なくとも１つのセル受信区域の少なくとも一部の初期モデルとして、予め定義した形状を使用して第１セルまたはセルの群と第２セルのセル受信区域の少なくとも一部をモデル化する装置を含む、装置。
【請求項１５０】
請求項１４９記載の装置において、予め定義した形状はセクタを含む、装置。
【請求項１５１】
請求項１４９記載の装置において、予め定義した形状はリング・セクタを含む、装置。
【請求項１５２】
請求項１４５記載の装置において、ハンドオーバー区域モジュールはハンドオーバー区域を表す多角形を形成する装置を含む、装置。
【請求項１５３】
請求項１４５記載の装置において、ハンドオーバー区域モジュールは第１セルまたはセルの群と別のセルとの間の等強度受信の線の周りの半影区域形状を形成する装置を含む、装置。
【請求項１５４】
請求項１５３記載の装置において、半影区域形状は多角形を含む、装置。
【請求項１５５】
複数台の車両に配置された複数個のセルラ装置の連続位置を決定することにより交通流れを監視する装置において、
セルラ網の第１セルまたはセルの群と別のセルの各々の少なくとも一部のモデル化セル受信区域の重なり合う部分を含むハンドオーバー区域を定義するハンドオーバー区域モジュールと、
複数個のセルラ装置の少なくともいくつかの繰返し位置決定の組をサンプリングして、交通流れの現在の図を決定するサンプラ・モジュールであって、前記位置決定の各々は、セルラ網の特定の第１セルまたはセルの群と別のセルとの間を移動している特定のセルラ装置のハンドオーバー区域モジュールにより定義されたハンドオーバー区域を少なくとも部分的に基にしている、前記サンプラ・モジュールと、
を含む、交通流れを監視する装置。
【請求項１５６】
請求項１５５記載の装置において、
交通流れの現在の図を基に将来の交通状態を予測する予測モジュールと、
をさらに含む、装置。
【請求項１５７】
請求項１５５記載の装置において、
セル対またはセル組の所定のハンドオーバー区域を含むハンドオーバー区域データベースと、
をさらに含む、装置。
【請求項１５８】
請求項１５７記載の装置において、ハンドオーバー区域モジュールは、セルラ網からのストリーミング・ハンドオーバー・データを使用してハンドオーバー区域データベースに問い合わせ可能である、装置。
【請求項１５９】
請求項１５５記載の装置において、ハンドオーバー区域モジュールは、セルラ網からのストリーミング・ハンドオーバー・データを基にオンラインでハンドオーバー区域を決定可能である、装置。
【請求項１６０】
請求項１５８または１５９記載の装置において、ハンドオーバー・データはセル識別子データを含む、装置。
【請求項１６１】
請求項１５８または１５９記載の装置において、ハンドオーバー・データは時間進行データを含む、装置。
【請求項１６２】
本発明のある側面によると、セルラ装置を地理的に位置決めする方法が提供され、
制御機能が１つ以上のセルの同時制御に接続可能な事象を記録した時にセルラ装置が位置するであろう区域を決定するアルゴリズムを使用する段階であって、区域の決定段階は複数個のセル間の位相関係を基にモデル化する段階を含む、前記アルゴリズムを使用する段階と、
を含む、セルラ装置を地理的に位置決めする方法。
【発明の詳細な説明】
【技術分野】
【０００１】
本発明はセルラ装置を地理的に位置決めするシステムと方法に関係し、特に交通情報システムで車両を位置決めする前記システムと方法の使用に関係する。本発明は、無線網、例えば、以下には限定されないが、ＧＳＭ、ＧＰＲＳ、ＥＤＧＥ、ＣＤＭＡ及び広帯域ＣＤＭＡベースの網により通信する全ての型式の装置に適用できる。
【背景技術】
【０００２】
移動電話のようなセルラ装置の位置を地理的に決定することは、位置ベースのサービスの分野での応用を含む、各種の応用例で有用である。例えば、交通情報システムでは、交通状態の画像を形成するために、運転者のセルラ装置の位置を基にして車両の位置を決定してもよい。セルラ装置または同様の無線装置の位置はセルラ網自体から得られたデータを基にして決定可能である。特に、装置の位置は、セルラ識別子、多分これに加えて時間前進のようなその他のデータにより定義される、セルラ装置を位置決めする網セルに関連して指定可能である。
【０００３】
ある種の別の技術は、ＧＳＭ網でのＡｂｉｓインターフェースのような網の相対的に低レベル（基地局に近い）で、例えば移動装置からの信号強度の電力測定報告を使用する、サンプリング・データに関係する。網の低レベルでのインターフェースを基とする技術は問題が多く、かつ実装が高価である。交通監視に適用されるある種の別の技術は、ルートを個別に駆動することによりハンドオーバー・パターンを記録し、パターン・マッチングを基に、以後のルート決定に使用するデータベースにパターンを記憶することに基づいている。
【発明の開示】
【発明が解決しようとする課題】
【０００４】
これらの別の技術のどれも、セルラ装置の地理的位置を決定するためのコスト的に有効で正確な技術を提供しない。本発明はセルラ装置の地理的位置を決定する改良された技術を提供することを目的とする。
【課題を解決するための手段】
【０００５】
本発明の１側面によると、セルラ装置を地理的に位置決めする方法において、該方法はセルラ網中で第１セルと第２セルの各々の有効セル区域を決定する段階と、
セルラ装置の制御が第１セルから第２セルへ転送される時にセルラ装置が位置するであろうハンドオーバー区域を決定する段階と、を含み、
第１セルと第２セルの各々のハンドオーバー区域と有効セル区域の決定が第１セルと第２セルとの間の位相的関係を基にしている、方法が提供される。
【０００６】
本発明の別な側面によると、セルラ装置を地理的に位置決めする方法において、該方法は、セルラ装置の制御が１つ以上の第１セルから第２セルへ転送される時にセルラ装置が位置するであろうハンドオーバー区域を決定する段階と、を含む。ハンドオーバー区域と有効セル区域の決定は関連する複数個のセルの間の位相的関係を基にすることが望ましい。ＣＤＭＡベースの網では、この決定はアクティブ・セット中の複数個のセルに関係する。
【０００７】
本発明の別な側面によると、セルラ装置を地理的に位置決めする方法において、該方法は、セルラ網の複数個のセルの有効セル区域を決定し、セルラ装置が位置するであろうハンドオーバー区域を決定する段階を含む。複数個のセルの各々のハンドオーバー区域と有効セル区域の決定は前記複数個のセルの位相的関係を基にしている。
【０００８】
本発明の別な側面によると、セルラ装置を地理的に位置決めする方法において、該方法は、セルラ網の第１セルと第２セルの各々の有効セル区域を決定し、セルラ装置の制御が第１セルから第２セルに転送される時にセルラ装置が位置しているであろうハンドオーバー区域を決定する段階を含む。第１セルと第２セルの各々のハンドオーバー区域と有効セル区域の決定は第１セルと第２セル間の位相的関係を基にしている。
【０００９】
本発明の別な側面によると、第１セルの第１アンテナと第２セルの第２アンテナを含むセルラ網でセルラ装置を地理的に位置決めする方法において、該方法は、（ｉ）第１セルと第２セルとの間のｉ個の異なる位相関係の組の各々に対して有効半径Ｒｉを決定する段階と、（ｉｉ）第１アンテナが第２セル内に含まれる時、かつ第１アンテナと第２アンテナとの間の線と第２セルのセクタ限界線とにより形成される角度βが角度αより小さい時に、第２セルがセクタ限界線を越えて拡張される角度αを決定する段階と、（ｉｉｉ）角度βが角度αより小さい時に第２セルのセクタ限界線に追加される第１矩形拡張部の第１拡張幅Ｅ１を決定する段階と、（ｉｖ）第１アンテナが第２セルの外側にある時、かつ第２セルのセクタ限界線と第１アンテナと第２アンテナとの間の線との間で形成される内角が１８０度以上である時、第２セルのセクタ限界線に追加される第２矩形拡張部の第２拡張幅Ｅ２を決定する段階と、（ｖ）第１アンテナと第２アンテナからの信号受信の等強度の線の間の第１矩形ストリップの第１半影幅Ｗ１と、セルラ装置が移動して行こうとしているセルに隣接する第１ストリップ限界とを決定する段階と、（ｖｉ）等強度の線の間の第２矩形ストリップの第２半影幅Ｗ２と、セルラ装置が移動してそこから出て行こうとしているセルに隣接する第２ストリップ限界とを決定する段階と、（ｖｉｉ）セルラ装置の制御が第１セルから第２セルへ転送される時にセルラ装置が位置するであろうハンドオーバー区域を決定する段階であって、ハンドオーバー区域の決定は、有効半径Ｒｉ、角度α、第１拡張幅Ｅ１、第２拡張幅Ｅ２、第１半影幅Ｗ１、第２半影幅Ｗ２の少なくともサブセットを基にして決定する前記段階と、を含む方法が提供される。
【００１０】
本発明の別な側面によると、第１セルまたはセルの組と別のセルのハンドオーバーが発生する区域を決定することによりセルラ装置を地理的に位置決めする方法において、該方法は、前記第１セルまたはセルの組と前記別のセルのセル受信区域の少なくとも一部をモデル化する段階と、前記第１セルまたはセルの組と前記別のセル区域の重なり合う部分を含むハンドオーバー区域を定義する段階とを含む、方法が提供される。
【００１１】
本発明の別な側面によると、第１セルから第２セルへのハンドオーバーが発生する区域を決定することによりセルラ装置を地理的に位置決めする方法において、該方法は、前記第１セルと前記第２セルのセル受信区域の少なくとも一部をモデル化する段階と、前記第１セル及び第２セル区域の重なり合う部分を含むハンドオーバー区域を定義する段階とを含む、方法が提供される。
【００１２】
本発明の別な側面によると、複数台の車両に配置された複数個のセルラ装置の連続位置を決定することにより交通流れを監視する方法において、該方法は、複数個のセルラ装置の少なくとも何台かの位置を繰返し決定する段階を含む、方法が提供される。この決定は少なくともセルラ装置の何台かの位置をサンプリングすることにより交通流れの現在の図を決定することが望ましい。複数個のセルラ装置の位置を決定する段階は、第１セルまたはセルの組から別のセルへのハンドオーバーが発生する区域を決定する段階を含み、ハンドオーバー決定は前記第１セルまたはセルの組と前記第２セルのセル受信区域の少なくとも一部をモデル化し、前記第１及び第２セル区域の重なり合う部分を含むハンドオーバー区域を定義することを基にしている。
【００１３】
本発明の別な側面によると、複数台の車両に配置された複数個のセルラ装置の連続位置を決定することにより交通流れを監視する方法において、該方法は、複数個のセルラ装置の少なくとも何台かの位置を繰返し決定する段階を含む、方法が提供される。この決定は少なくともセルラ装置の何台かの位置をサンプリングすることにより交通流れの現在の図を決定することが望ましい。複数個のセルラ装置の位置を決定する段階は、第１セルまたはセルの組から別のセルへのハンドオーバーが発生する区域を決定する段階を含み、ハンドオーバー決定は前記第１セルまたはセルの組と前記別のセルのセル受信区域の少なくとも一部をモデル化し、前記第１及び別のセル区域の重なり合う部分を含むハンドオーバー区域を定義することを基にしている。
【００１４】
本発明の別な側面によると、複数台の車両に配置された複数個のセルラ装置の連続位置を決定することにより交通流れを監視する方法において、該方法は、複数個のセルラ装置の少なくとも何台かの位置を繰返し決定する段階を含む、方法が提供される。この決定は少なくともセルラ装置の何台かの位置をサンプリングすることにより交通流れの現在の図を決定することが望ましい。複数個のセルラ装置の位置を決定する段階は、第１セルから第２セルへのハンドオーバーが発生する区域を決定する段階を含み、ハンドオーバー決定は前記第１セルと前記第２セルのセル受信区域の少なくとも一部をモデル化し、前記第１及び第２セル区域の重なり合う部分を含むハンドオーバー区域を定義することを基にしている。
【００１５】
本発明の別な側面によると、セルラ装置を地理的に位置決めする装置において、該装置は、セルラ網中の第１セルと第２セルの各々の有効セル区域を決定する有効セル区域モジュールと、セルラ装置の制御が第１セルから第２セルへ転送された時にセルラ装置が位置するであろうハンドオーバー区域を決定するハンドオーバー区域モジュールとを含む、装置が提供される。第１セルと第２セルの各々のハンドオーバー区域と有効セル区域の決定は第１セルと第２セルの間の位相関係を基にしている。
【００１６】
本発明の別な側面によると、第１セルから第２セルへのハンドオーバーが発生する区域を決定することによりセルラ装置を地理的に位置決めする装置において、該装置は、前記第１セルと前記第２セルのセル受信区域の少なくとも一部をモデル化する有効セル区域モジュールと、前記第１及び第２セル区域の重なり合う部分を含むハンドオーバー区域を定義するハンドオーバー区域モジュールとを含む、装置が提供される。
【００１７】
本発明の別な側面によると、複数台の車両に配置された複数個のセルラ装置の連続位置を決定することにより交通流れを監視する装置が提供される。この装置は、（ｉ）セルラ網の第１セルと第２セルの各々の少なくとも一部のモデル化セル受信区域の重なり合う部分を含むハンドオーバー区域を定義するハンドオーバー区域モジュールと、（ｉｉ）複数個のセルラ装置の少なくとも一部の繰返し位置決定の組をサンプリングして、交通流れの現在の図を決定するサンプラ・モジュールと、を含み、前記位置決定の各々はセルラ網の特定の第１セルと第２セルとの間で移動する特定のセルラ装置のハンドオーバー区域モジュールにより定義されるハンドオーバー区域を少なくとも部分的に基にしている。
【００１８】
本発明の別な側面によると、セルラ装置を地理的に位置決めする方法において、該方法は、
網の制御機能がセルのアクティブ・セットへのセルの追加に関係するハンドオーバーを実行する時にセルラ装置が位置するであろうハンドオーバー区域を決定するためのアルゴリズムを使用する段階と、を含み、
ハンドオーバー区域の決定はアクティブ・セットの複数個のセル間の位相関係を基にしたモデル化を含む、方法が提供される。
【００１９】
本発明の別な側面によると、セルラ装置を地理的に位置決めする方法において、該方法は、
制御機能が、１つ以上のセルの同時制御に接続可能である事象を記録した時にセルラ装置が位置するであろう区域を決定するためのアルゴリズムを使用する段階と、を含み、区域の決定は複数個のセル間の位相関係を基にしたモデル化を含む、方法が提供される。
【００２０】
本発明の別な側面によると、セルラ装置を地理的に位置決めする装置において、該装置は、
移動装置と関連して定義されたセルのアクティブ・セット中の複数個のセルの各々の有効セル区域を決定する有効セル区域モジュールと、
網の制御機能がセルのアクティブ・セットへのセルの追加と関係するハンドオーバーを実行する時にセルラ装置が位置するであろうハンドオーバー区域を決定するハンドオーバー区域モジュールと、を含み、
ハンドオーバー区域と複数個のセルの各々の有効セル区域の決定は前記複数個のセル間の位相関係を基にしている、装置が提供される。
【００２１】
本発明の別な側面によると、第１セルまたはセルの群から別のセルへのハンドオーバーが発生する区域を決定することによりセルラ装置を地理的に位置決めする方法において、該方法は、
前記第１セルまたはセルの群と前記別のセルのセル受信区域の少なくとも一部をモデル化する段階と、
前記第１セルまたはセルの群と前記別のセルの重なり合う部分を含むハンドオーバー区域を定義する段階と、
を含む、方法が提供される。
【００２２】
本発明の別な側面によると、セルラ装置を地理的に位置決めする装置において、該装置は、
移動装置と関連して定義されたセルのアクティブ・セット中の複数個のセルの各々の有効セル区域を決定する有効セル区域モジュールと、
網の制御機能がセルのアクティブ・セットへのセルの追加と関係するハンドオーバーを実行する時にセルラ装置が位置するであろうハンドオーバー区域を決定するハンドオーバー区域モジュールと、を含み、
ハンドオーバー区域と複数個のセルの各々の有効セル区域との決定は前記複数個のセル間の位相関係を基にしている、装置が提供される。
【００２３】
本発明の別な側面によると、複数台の車両に配置した複数個のセルラ装置の連続位置を決定することにより交通流れを監視する方法において、該方法は、
複数個のセルラ装置の内の少なくともいくつかの位置を繰返し決定する段階と、
セルラ装置の少なくともいくつかの位置をサンプリングして交通流れの図を決定する段階と、を含み、
複数個のセルラ装置の位置を決定する段階は、ハンドオーバーが発生する区域を決定する段階を含み、このハンドオーバー決定は、
第１セルまたはセルの群と別のセルのセル受信区域の少なくとも一部をモデル化する段階と、
前記第１セル区域またはセル群の区域と前記別のセル区域の重なり合う部分を含むハンドオーバー区域を定義する段階と、
を基にしている方法が提供される。
【００２４】
本発明の別な側面によると、第１セルまたはセルの群から別のセルへのハンドオーバーが発生する区域を決定することによりセルラ装置を地理的に位置決めする装置において、該装置は、
前記第１セルまたはセルの群と前記別のセルのセル受信区域の少なくとも一部をモデル化する有効セル区域モジュールと、
前記第１セルまたはセルの群の区域と別のセル区域の重なり合う部分を含むハンドオーバー区域を定義するハンドオーバー区域モジュールと、を含む、装置が提供される。
【００２５】
本発明の別な側面によると、複数台の車両に配置した複数個のセルラ装置の連続位置を決定することにより交通流れを監視する装置において、該装置は、
セルラ網の第１セルまたはセルの群と別のセルの各々の少なくとも一部のモデル化セル受信区域の重なり合う部分を含むハンドオーバー区域を定義するハンドオーバー区域モジュールと、
交通流れの現在の図を決定するため、複数個のセルラ装置の少なくとも一部の繰返し位置決定の組をサンプリングするサンプラ・モジュールと、を含み、前記各位置決定はセルラ網の特定の第１セルまたはセルの群と別のセルとの間で移動する特定のセルラ装置のハンドオーバー区域モジュールにより定義されたハンドオーバー区域を少なくとも部分的に基にしている、装置が提供される。
【００２６】
従って、装置が位置している網セルを基にセルラ装置の位置を決定する技術は既知であるが、前記技術の精度は各セルによりカバーされる大きな地理的区域により限定される。要求により特定のハンドセットの位置を能動的に監視するため特殊な機械を使用するその他の技術も既知である。しかしながら、前記技術は網に負荷を与え、それ故コスト高であり、容量が制限される。
【００２７】
本発明の別の利点と新規の特徴は以下の説明に部分的に記載され、当業者には以下の添付図面を調査することで部分的に明らかとなり、または本発明の実施により学習できる。
【実施例１】
【００２８】
セルラ網は網のアンテナを使用して動作し、その各々はセルと呼ばれる特定の区域に位置するセルラ装置へメッセージを通信する。異なるアンテナからのセル区域は重なり合っているため、セルラ網の動作領域が完全にカバーされる。任意の特定の時間に、セルラ装置は網の単一のセルの制御下にある。制御セルは通常セルラ装置の位置で受信強度が最強のものである。セルラ装置が移動していると、それはセルからセルへ移動して行き、その制御はあるセルから他のセルへ「ハンドオーバー」される。
【００２９】
セルラ網の運用と管理はセルラ装置に関連して発生する多数の事象を監視することが必要である。前記事象は、例えば呼の開始と呼の終了のような、それが実行している呼や、位置更新やハンドオーバーのようなその移動に関連するものである。以下の説明ではある種のＧＳＭ技術用語を使用するが、使用する場合他の網技術での同様な用語も参照する意図である。
【００３０】
全てのまたは一部のこれらの事象の使用は、特に「Ａインターフェース」（またはある種の網技術では「並列」）で記録される事象は、セルラ装置を位置決めするためのコスト的に有利な方法を提供する。以下では、ハンドオーバー事象から位置を抽出する方法を記述するが、これはまた記録され１つ以上のセルの同時制御に接続可能なその他の事象にも使用可能である。
【００３１】
本明細書で開示した望ましい実施例は、例えばＧＳＭベースの網に適用できるハード・ハンドオーバーに関して記述しているが、本発明の原理と利点はソフト・ハンドオーバーやハード及びソフト・ハンドオーバーの組み合わせにも同様に適用可能である。これに関連して、ハンドオーバーの最も基本の形式は多くの１Ｇ及び２Ｇシステムで使用されるものであり、進行中の呼を有する装置は１個の送信器と受信器と周波数対から、呼を中断することなく異なる周波数対を使用した他のセル送信器及び受信機へ再指向される。端末が１つの基地局とのみ接続可能であり、従って他のものと接続する時に接続を切断する必要が有る場合、これはハード・ハンドオーバーと見なされる。
【００３２】
ＷＣＤＭＡベースのシステムを含むＣＤＭＡでは、ユーザーは同時にいくつかの基地局と接続可能で、ＲＡＫＥ受信器を使用して範囲内の全ての送信器からのデータを組み合わせることが当業者には認められる。端末が同時に接続している基地局の組は「アクティブ・セット」と呼ばれる。アクティブ・セット中にいくつかの基地局があり、端末がこれらの内のどれかを切断して新たな基地局を追加するか、またはアクティブ・セットから既存の基地局を切断することなく新たな基地局を追加する時に「ソフト・ハンドオーバー」が発生する。Ｗ−ＣＤＭＡでは、アクティブ・セット中のいくつかの接続が同じ基地局を指している、「ソフタ・ハンドオーバー」と呼ばれる特別な場合がある。ソフタ・ハンドオーバーは同じ基地局からこれらの接続の内の１つが他のために切断される場合に発生する。あるアクセス技術から他のものへ、例えばＧＳＭからＷ−ＣＤＭＡへ転送される呼のように接続が転送される内部システム・ハンドオーバーもある。本発明の原理と利点は全ての上述した型式のハンドオーバーに関して適用可能であり、各場合の詳細な実装及び／または実際の利点は当業者により認められる簡易な方法で変化しうるが、請求の範囲の用語はこれに従って認められるべきである。
【００３３】
従って、特定の時点で、セルら装置は網の１つ（ＧＳＭ網では）または多数のセルの制御下にある。制御セルまたは制御複数セルはその受信が目的のために適切であると認められたものであり、新たなセルへ制御を与える（または追加する）事象を本明細書では「ハンドオーバー」と呼ぶ。ハンドオーバー事象は従って、セルラ電話が２つ以上のセルの制御下にあり、すなわち前記セルの近似的に等しい受信局である、瞬間的状況（正確な時間は事象記録に含まれる）を指す。これは、全ての前記セルが近似的に等しい受信度を有する区域を描くことにより、高確率でセルラ電話をこの区域内に位置決めできるものと推測可能であることを意味する。
【００３４】
説明を明瞭にするため、以下の例示実施例は、ＧＳＭ網に適切な、２つのセル間の制御転送の場合を参照するが、同じ方法が２つ以上のセルが関係する場合にも暗示可能であり、例えば、以下で記述する原理と方法を全てのこれらのセルに適用することにより、ＣＤＭＡベースの網のセルのアクティブ・セットに適用してもよい。
【００３５】
しばしば、セルＡとセルＢとに関係するＧＳＭ網等のハンドオーバー事象は、セルＡアンテナからの信号の強度がセルＢアンテナのものより高い区域から、セルＢアンテナからの信号の強度がセルＡアンテナのものより高い区域へセルラ装置が移動する時に発生する。従って、ハンドオーバー事象は、セルラ装置が両方のセルからの等強度信号の線を越える時に理論的に発生する。しかしながら、実際には、ハンドオーバーは等強度線では正確には発生せず、等強度線の周りのある半影区域内で発生する。半影区域の形状と大きさは、アンテナの位置と方向により決定される、関係するセルの相対位置を含む、各種のパラメータに依存する。
【００３６】
本発明の実施例によると、セルＡからセルＢへのハンドオーバーが高確率で発生する区域である「ハンドオーバー区域」を決定することにより、ハンドオーバーの発生時に高確度でセルラ装置を地理的に位置決めする技術が開示される。ハンドオーバー区域は平均的にセル区域より小さいことが分かっているため、この技術は装置を位置決めするためにセル区域のみを使用する技術より良好な精度を提供する。加えて、ハンドオーバー事象はセルラ網管理システムにより記録されており、従って追加コストなしに利用可能であり、従ってこの技術は相対的に経済的である。
【００３７】
望ましい実施例を実装するために、ハンドオーバー区域を表現するために多角形を構成する。これを実行するため、４つの単純化仮定を使用する。
【００３８】
第１に、アンテナの制御区域（セル区域）は、一般的には１２０度のセクタ（扇形）であり、その中心はアンテナである、という単純化仮定を行う、例えば、図１の実施例のアンテナ１００を中心とするセクタ１０１を参照されたい。
【００３９】
第２に、セルラ装置がセクタ内に位置している間、アンテナからの信号の受信強度はアンテナからの距離に反比例するという単純化仮定を置く。アンテナからの信号の受信強度に影響を与える、アンテナの正確な方位角、反射の効果、及びマルチパスの効果のような他の要素を無視する、何故なら、このような要素の影響は限定的であり、しばしば互いに統計的に相殺する。
【００４０】
第３の単純化仮定は、セクタの外部のアンテナからの受信強度はセクタ内の受信強度より相当低い、というものである。
【００４１】
第４の単純化仮定は、あるセルから他へのハンドオーバーは、セルラ装置が両アンテナから等強度の信号を受信する点から妥当な距離内で発生する、というものである。
【００４２】
これらの仮定を基に、本発明による実施例は、セルの受信区域を有限半径のセクタ（扇形）として最初にモデル化する。この半径を越えて、受信は発生はするが、半径内の受信より非常に弱い。また、セクタの反対方向の、アンテナの後ろの区域で、セクタの限界線を越えて弱受信の領域がある。ある場合には、セルラ装置に対する制御がこれらの弱受信区域内でハンドオーバー可能である。本発明による実施例はそれ故、最初にセクタとしてモデル化されたセル受信区域を、ある状況下ではこれらの弱受信区域まで拡張する。このような条件の効果を考慮し、セル・セクタ区域が多分拡張され（またはされない）て、セルの受信の生成モデルを本明細書では有効セル区域と名付ける。以下からわかるように、セル・セクタ区域を拡張するかどうかは装置が移動している２つのアンテナ間の相対位置と方向を基に決定可能である。例えば、一方のセルのアンテナが他方のセルのセクタ内に位置するが、セクタの限界に非常に近い（図５の実施例のように）時、または一方のセルのアンテナが特定の形状で他方のセルのセクタの外側に位置している時（図６の実施例のように）、拡張が行われる。これらの場合、有効セル区域はセクタ限界を超えた拡張部を含む。また、セクタの半径は、ある場合には、２つのセルのアンテナ間の距離を基に拡張または減少可能であり、この生成半径をセルの有効半径と名付ける。
【００４３】
これらの効果を考慮に入れて、本発明の実施例は２つの区域の組み合わせ、すなわち１）セルラ装置が移動している２つのセル間の有効セル区域の重なり合う部分、及び２）２つのセルのアンテナ間の等強度線の周りの半影区域、からハンドオーバー区域を表す多角形を構成する。以下から分かるように、２つのセルの相対位置がこれらの２つの区域の決定に重要な役割を果たし、かつ半影区域が定義不能な場合が存在し、それ故有効セル区域のみを使用する場合もある。
【００４４】
図１から図４は、本発明の実施例による２つのセルの４つの可能な位相的相対位置を図示する。図１では、第１セル１０１と第２セル１０２は同じ点１００に位置するアンテナを有する。図２では、第１アンテナ２０３により発生される第１セル２０１は第２アンテナ２０４により発生された第２セル２０２と対向して位置し、２つのセルは異なる点に位置し、互いに向き合うアンテナを有する。図３では、第１セル３０１と第２セル３０２は異なる点に位置するアンテナ３０３と３０４を有し、そのセクタは重なり合わない。図４は、図１から図３の位相的分類に所属しない例を示し、その他の全ての位相ケースを表す。この場合、アンテナ４０３と４０４は異なる場所に位置し、互いに鋭角に対向し、セクタ４０１と４０２は重なり合う。
【００４５】
本発明の実施例によると、セルラ装置を地理的に位置決めする方法は３段階、第１に、各セルの有効セル区域を決定する段階と、第２に、等強度線の周りの半影区域を決定する段階と、第３に、第１及び第２段階で決定した区域を組み合わせてハンドオーバー区域を決定する段階と、を含む。
【００４６】
本発明による実施例の第１段階は、各セルの有効セル区域を決定する段階を含む。このために、セル・セクタの有効半径を最初に決定する。前記半径の存在は上記の第２単純化仮定、すなわちセクタ内のアンテナの受信強度はアンテナからの距離に反比例して減衰する、というものを前提としている。有効半径の決定は関係する位相ケースに依存していて、アンテナが同じ地点１００に位置している、図１の実施例の位相では、有効半径はＲ１、１０３である。図２から図４の実施例に図示した他の全ての位相ケースでは、有効半径はＲｉ＊Ｄに等しく、ここでＤはアンテナ間の距離、Ｒｉは各位相ケースで異なる定数要素である（すなわち、図２から図４に対して、インデックスｉ＝２、３及び４である）。本発明の実施例によると、アンテナ間の増大した距離を増大した有効半径と関係付けるその他の方法を含む、有効半径を決定するその他の方法を使用してもよい。
【００４７】
次いで、セル・セクタの有効半径を決定した後、ある場合にセクタの縁を超えてセル・セクタを拡張することにより有効セル区域を決定する。これは有効セル区域の側部線を決定する。セクタの縁を超えたセル・セクタの拡張は例えば２つの場合：１）図５の実施例を参照して図示するように、一方のアンテナがその限界線の非常に近傍で、他方のセルのセクタに含まれる時、及び２）図６Ａと図６Ｂの実施例を参照して図示するように、一方のアンテナが他方のセルのセクタの外側にあり、限界線と両方のアンテナを結ぶ線との間の内部角が１８０度より大きい時、に必要である。
【００４８】
図５の実施例に示す、最初の拡張の場合では、２つのアンテナ５０１と５０２間の線５０５、及び第１セクタの限界線の一方５０６とにより形成される角度β、５０３は所定の角度α、５０４より小さい。所定の角度αは、アンテナ５０２が限界線５０６に十分近接して、セクタの縁を超えたセル区域の拡張を保障する角度として予め決定される。角度βがαより小さい時、セクタは一方の側、すなわち第２アンテナ５０２に近接する側面５０６にのみ拡張される。幅寸法Ｅ１、５０７を有する、相対的に小さい矩形拡張部５０８がセクタの側部５０６に追加される。
【００４９】
最初に図６Ａの実施例を参照して説明する、第２の拡張ケースでは、第２アンテナ６０２は第１アンテナ６０１のセクタ６０３の限界の外側にある。このような場合、内部角、すなわち第１セクタ６０３自体を含み、セクタ６０３の縁６０７または６０８と２つのアンテナ６０１と６０２との間の線６０９との間に形成される角度が１８０度より大きいかどうかが決定される。そうである場合、条件が満たされるセクタ縁６０７または６０８に拡張が行われる。例えば、セクタ６０３の縁６０７を考える。縁６０７と線６０９との間の内部角は角度６０５であり、角度６０５は１８０度より大きい。従って、縁６０７は矩形拡張部６１０により拡張される。同様に、セクタ６０３の縁６０８を考えると、縁６０８と線６０９との間の内部角は角度６０６であり、角度６０６は１８０度より大きい。従って、縁６０８は矩形拡張部６１１により拡張される。図６Ａと図６Ｂの第２の拡張ケースでは、拡張部６１０と６１１のような矩形拡張部は、図５の矩形拡張部の幅Ｅ１、５０７より相対的に大きな幅Ｅ２を有する。また、セクタ６０３の拡張部６１０と６１１のように、あるセクタに２つの矩形拡張部がある時、２つの拡張部が同じ幅Ｅ２であり、矩形拡張部の２つの遠い隅６２３と６２４を接続することにより別の３角形拡張部６１２がアンテナ６０１の後部に作成される。アンテナ６０２がアンテナ６０１のセクタの限界の外側にある（かつ内部角基準が満足されている）ため大きな拡張部がセクタ６０３に作成されるが、他のセクタに対しては逆は必ずしもその通りでないことに注意すべきである。すなわち、この場合、アンテナ６０１がセクタ６０４の内部にあるため、セクタ６０４は第２型式の拡張により拡張されない。
【００５０】
図６Ｂの実施例は、２つではなくセクタの一方の縁のみが大きな拡張部により拡張される、第２型式の拡張の他の例を示す。特に、アンテナ６１５はアンテナ６１４のセクタ６１６の外側にある。しかしながら、セクタ縁６１７と線６２０との間の内部角６２２は正しく１８０度に等しく（それ故１８０度より大きくない）、従って縁６１７には拡張はなされない。対比的に、セクタ縁６１８と線６２０との間の内部角６２１は１８０度より大きい、それ故第２型式の拡張が縁６１８になされる。
【００５１】
有効セル区域を決定すると（本実施例では、有効半径を決定し、ある場合には、セクタの縁を拡張することにより）、第２段階は、図７と図８の実施例を参照して図示するように、２つのアンテナ間の等強度の線の周りに半影区域を決定することである。この例では、等強度の線の周りの半影区域は等強度の線の周りの非対称矩形ストリップとしてモデル化される。等強度の線とセルラ装置が入っていこうとしているセルの側面のストリップ限界との間の幅Ｗ１はセルラ装置が出てこようとしているセルの側面の幅Ｗ２より長い。例えば、図７の実施例を参照すると、等強度の線７１０の周りの半影区域は２つの矩形ストリップ７０６と７０７により形成され、セルラ装置が入っていこうとしているセクタ７０４の側面のストリップ７０６の幅Ｗ１、７０８は、セルラ装置が出てこようとしているセクタ７０５の側面上のストリップ７０７の幅Ｗ２、７０９より大きい。各ストリップは等強度の線７１０とストリップ限界７１１と７１２との間に形成される。同様に、図８の実施例を参照すると、等強度の線８０８の周りの半影区域は、２つの矩形ストリップ８０６と８０７により形成され、セルラ装置が入っていこうとしているセクタ８０５の側面のストリップ８０６の幅Ｗ１、８０９は、セルラ装置が出てこようとしているセクタ８０４の側面上の幅Ｗ２、８１０より大きい。
【００５２】
本発明の実施例によると、等強度線の周りの半影区域を決定する際に、位相ケースに応じて変化する、等強度線の位置を決定する必要がある。図７のケースでもある図１の実施例の第１位相ケースでは、等強度線はセルの方位角７０２と７０３（これはアンテナの位置７０１から形成される）の二等分線７１０である。図２及び図３の実施例の第２及び第３位相ケースの場合、等強度線は近似的に２つのアンテナを結ぶ線に垂直な中央線である。例えば、図２の位相ケースに対応する図８では、等強度線はアンテナ８０１と８０２とを結ぶ線８０３に垂直な中央線８０８である。図４の実施例の第４位相ケースでは、等強度点は定義が困難で、図７と８のようなストリップは存在しない。
【００５３】
有効セル区域と等強度の線の周りの半影区域を決定すると、本実施例の第３段階はハンドオーバー区域を決定することである。図４の実施例を除いた位相ケースの各々に対して、その有効セル区域と等強度の線の周りの半影区域の交差により、各セルに対して各セルがハンドオーバーを実行可能な区域が形成できる。この場合にそうであるように、セルＡからセルＢのハンドオーバー区域は、２つのセルがハンドオーバーを実行可能である区域の結合として見出される。例えば、図９の実施例を参照して、セルＡ、９０１からセルＢ、９０２へ移動しているセルラ装置のハンドオーバー区域は、まずセルＡの有効区域を等強度線９０４の周りの半影区域の矩形ストリップ９０３と交差させ、次いでセルＢの有効区域を矩形ストリップ９０３と交差し、次いで影付き区域９０５として表示される、これら２つの区域の結合を形成することにより、決定される。図９の実施例は、矩形ストリップ９０３が明確に定義されている、図２の実施例の位相ケースのセルＡからセルＢへのハンドオーバー区域の決定を図示している。同様の矩形ストリップが定義されない図４の実施例の位相ケースでは、セルＡからセルＢへのハンドオーバー区域は、各々が上述した第１または第２型式のどちらかの拡張部を含む２つの有効セル区域の交差として見出される。例えば、図１０の実施例では、セクタ１００１の有効セル区域は第１型式の拡張部１００２により拡張され、セクタ１００３の有効セル区域は第２型式の拡張部１００４、１００５、及び１００６により拡張される。これは図４の場合と同様な位相ケースであるため、セル１００１からセル１００３へのハンドオーバー区域は、影付き区域１００７として図示されている、２つの有効セル区域間の交差部に等しい。セルＡからセルＢへのハンドオーバー区域とセルＢからセルＡへのハンドオーバー区域の唯一の差は、図１から図３の実施例の位相ケースで発生する、等強度線のまわりの半影区域の非対称性から起因することに注意すべきである。
【００５４】
図１０の実施例から分かるように、本発明の実施例により決定されたハンドオーバー区域１００７は、セル区域１００１と１００３の有効区域より非常に小さい。従って、平均的には、ハンドオーバー区域を決定する本発明の実施例による方法は、セル・セクタの位置にのみ依存する従来技術のものよりセルラ装置の位置決めがより正確である。
【００５５】
本発明による実施例は、セルラ網がセル識別子データに加えて、時間進行データを使用したセルラ装置の位置を指定する時には、平均的にはより精度を改善する。図１１は、本発明の実施例により、このような場合にセルラ装置の評価位置をモデル化するために使用した、リング・セクタ１１０１を示す。追加の時間進行データは、アンテナ１１０４からのある半径１１０２と１１０３との間のリング・セクタ１１０１にハンドセットの位置を限定する。モデル化したセル区域を狭める、時間進行データまたはセルラ網により指定のその他の可能なデータの使用は、――例えば有効セル区域を決定するためのモデルを変更することにより、本明細書の実施例と矛盾無く使用可能である。従って、例えば、図１１の実施例では、セル区域をリング・セクタとしてモデル化し、これを多分拡張して上述した技術と同様な方法で有効セル区域を作成する。本発明の実施例に従って他の形状のセル区域を使用してもよい。有効セル区域の形状に係らず、本発明の実施例による技術は、平均的に、セルラ装置の位置決めの精度を改善する。図１１のリング・セクタを例えば使用すると、上述のように全セクタを使用した時と同様な区域の減少割合を得られる。
【００５６】
上述した一般化パラメータ（パラメータＲ１、Ｒ２、Ｒ３、Ｒ４、α、Ｅ１、Ｅ２、Ｗ１及びＷ２）を経験的に決定して現地試験により較正することは当業者には認識できる。例えば、検査セルラ装置の実際の位置が既知であり、実際の位置をセル地図に対して経験的に整合させてパラメータの適切な値を決定する検査を実行してもよい。パラメータは経験的な結果を基に統計的に評価され、テスト結果やその他のデータが時間と共に累積されるにつれて改善される。その他のパラメータを使用してもよい。さらに、上述のパラメータからの選択やまたは完全に異なるパラメータを使用してもよい。ＧＳＭ以外のセルラ・システム、例えばＣＤＭＡベースのセルラ・システムを使用する場合、例えばハンドオーバー区域を異なる形状またはアクティブ・セットのセルの配置から起因する形状の組としてモデル化するよう実施例を変更してもよい。
【００５７】
本発明の実施例によると、フェルドマン他の米国特許第６、５８７、７８１号に記載されるような、交通情報システムの一部としてセルラ装置の位置決めのシステムと方法を使用してもよく、その概要ブロック線図を図１２の実施例に示す。このシステムでは、指向道路部分網１４を形成するよう解析された、道路網１２上を走行する車両の複数個の移動センサの各々の位置を決定する。移動検出を補足するためその他の道路情報源を使用してもしなくともよい。位置データ６２は時間を通して移動センサから収集され、周期的にサンプラ１によりサンプルされて、正規化走行時間計算器２へ渡される。サンプル・データを基に、走行時間計算器２は網１４の各指向道路部分の平均正規化走行時間を決定する。統合及び現在図発生器３はその他のセンサから得たデータと共に、計算した正規化走行時間を使用して、道路網上に現在の交通状態の図を発生する。予測器４は次いでパターンとルール発生器６からのルールと共に、現在の図を使用して交通状態を予測する、または各種のアプリケーション７に役立つ、サービス・エンジン５へその他の情報を提供する。統合及び現在図発生器３は、正規化走行時間計算器２、固定センサ６０からの交通データ、交通報告６４からの交通データ、及びその他の情報源６６からの交通データを含む、各種の情報源からのデータを統合する。
【００５８】
本発明の実施例によると、本明細書で記載した、セルラ装置を位置決めする技術を実装する装置を使用して、車両中の装置からのセルラ装置位置を使用して交通データを発生可能である。例えば、あるセルラ装置のハンドオーバー区域が決定された時、交通システムは決定されたハンドオーバー区域に対応する地理的区域を、ハンドオーバー事象が発生したときにそのセルラ装置が位置していた車両の位置の評価として使用可能である。多数の前記車両の生成位置と時間データと、その他の情報源からのデータを基に、正規化走行時間計算器２、またはその他の交通システム部品は、この先の交通状態の予測を含む、各種の使用法に対して交通状態の図を発生可能である。１実施例では、セルラ装置を地理的に位置決めする本明細書で記載したものによる技術が図１２の実施例のサンプラ・モジュール１により実装される。サンプラ・モジュール１には、セルラ網から、セルラ・ハンドオーバー事象と関係するストリーミング・データを含んでもよい、位置データ６２が送られる。位置データ６２は、ＧＰＳデータまたはその他の浮動車両データのような、各種のその他の移動センサ源からの車両位置データと共に、セルラ事業者からのセル識別子や時間進行データを例えば、含む。各々異なる型式の移動センサ源からの車両位置データ６２はそれ自身の調節されたサンプラ・サブモジュール（図１２のサンプラ・モジュール１に含まれる）によりサンプルされる。同じ移動センサ源からの異なる型式のデータを処理するために複数のサンプラ・サブモジュールを使用してもよい。例えば、セルラ・ハンドオーバー・データとセルラ位置サーバー・データを処理するために別々のサンプラ・サブモジュールを使用してもよい。
【００５９】
図１３は本発明の実施例によるセルラ装置を位置決めする装置のブロック線図である。これを、例えば、図１２の実施例の交通情報システムに使用してもよい。図１３の実施例のブロック線図に要約するように、セルラ装置を位置決めする前記装置１３０５は、セル区域を決定する有効セル区域モジュール１３０１、等強度の線の周りの半影区域を決定する半影区域モジュール１３０２、及びハンドオーバー区域を決定するハンドオーバー区域モジュール１３０３を含む。セルラ装置を位置決めする装置１３０５は、本明細書に開示された技術を読むことにより当業者には明らかなように、各種の異なる形式のハードウェアにより実装される。例えば、装置１３０５は、セルラ網により発生された、セルラ・ハンドオーバー事象に関するデータ、またはその他のセルラ・データ１３００を受信し、生成した計算ハンドオーバー区域を位置ベースのアプリケーション１３０４、例えば、図１２の実施例の交通情報システムに送信する、コンピュータ・プロセッサまたは特殊な信号処理装置を含んでもよい。本明細書の実施例に記載した各種の方法段階は、コンピュータ・プロセッサ１３０５上で実行するコンピュータ・プログラム・コードのルーティンとして、またはデータ処理用の等価な特殊回路として実装されてもよい。
【００６０】
また、本発明の実施例による装置は図１３の実施例の形式で実装される必要はない。例えば、本明細書で技術を実装する２つの可能な方法は以下の通りである（これらの例は限定する意図のものではない）。第１の例では、セルラ事業者のセル地図を本発明によるシステムに利用可能とする。この場合、近接セルの全ての可能な組み合わせのハンドオーバー区域は、セルラ地図を基にオフライン過程で決定可能であり、本発明によるシステムによりアクセス可能なデータベースに記憶される。セルラ・データがシステムに流入すると、システムはセル識別子及び／または時間進行データ、または特定のハンドオーバー事象に対するその他のセルラ網データを使用してデータベースに問い合わせし（例えば、索引表を使用して）、これにより適切なハンドオーバー区域を得る。従って、第１の例では、装置１３０５の機能はオフラインで実行され、データ１３００は、モジュール１３０３によりオフラインで作成されたハンドオーバー・データを参照して以後オンラインで処理される。対照的に、第２の実施例では、セル地図が本発明によるシステムに利用可能ではない。代わりに、システムは各ハンドオーバー事象と関連するセルの地理的パラメータを受信し、例えば、図１３の実施例を使用して、データ・ストリームを基にオンラインでハンドオーバー区域を計算する。図１３の実施例のモジュール１３０１−１３０３は異なるソフトウェア・モジュールに直接的にマップされる必要は無く、代わりに、当業者に認識されるように、このソフトウェアは等価機能を実装する異なるまたはより複雑なアーキテクチャを有してもよい。
【００６１】
発明の概念から逸脱することなく、本実施例は広範囲の変更を認可していることが認められる。例えば、本発明の原理と利点は、各種の現在の及び将来の周波数分割多重アクセス及び／またはコード分割多重アクセス（ＣＤＭＡ）網、またはＦＤＭＡ及びＣＤＭＡ原理と組み合わせた時間分割多重アクセス（ＴＤＭＡ）を使用したその他の網に適用できることは当業者には容易に認識できる。その他、あまり記述しなかった別例に極性分割多重アクセス（ＰＤＭＡ）がある。
【００６２】
当業読者には認識できるように、以上の説明は最良のモードと考えられるもの、及び発明を実施するのに適切なその他のモードを記載したが、本発明は望ましい実施例の説明に開示した特定の装置構成または方法に限定されるべきのものではない。例えば、本明細書で各種の実施例は「セルラ装置」を地理的に位置決めすることを参照しているが、この用語は、移動セルラ電話またはその他のハンドセットのみならず、例えばセルラ網と通信する車両に取り付けたプローブ、ラップトップ及び特殊なコンピュータ装置のような、セルラ網と通信するその他のモジュールを参照するよう広範囲に認識されるべきであることが認められる。当業者はまた、本発明が広範囲のアプリケーション、特に位置ベースのアプリケーション及びサービスを有していることを認識できる。例えば、セルラ装置を地理的に位置決めする本発明による実施例は、（以下には限定されないが）、一般的な位置ベースのサービス、交通情報システム、救急番号の発信に使用したセルラ装置の位置決めのような、救急目的、脱出計画、安全、情報、及び国防アプリケーションを含む、広範囲のアプリケーションに使用できる。
【図面の簡単な説明】
【００６３】
発明のより良い理解と、実際にどのように実施されるかを示すため、単なる一例として、以下の添付図面を参照する。
【図１】本発明の実施例による、同一点に位置するアンテナを有するセルラ網の第１及び第２セルを図示する。
【図２】本発明の実施例による、セルラ網の第１及び第２セルで、異なる点に位置し、互いに対向して向いているアンテナを有するセルを図示する。
【図３】本発明の実施例による、セルラ網の第１及び第２セルで、異なる点に位置するアンテナを有し、重なり合わないセクタを有するセルを図示する。
【図４】本発明の実施例による、セルラ網の第１及び第２セルで、異なる点に位置し、互いに鋭角で対向し、そのセクタが重なり合うアンテナを有するセルを図示する。
【図５】本発明の実施例による、一方のアンテナが、その１つの限界線に近い、他方のセルのセクタに含まれる時、セクタの拡張部を有する有効セル区域を図示する。
【図６Ａ】本発明の実施例による、第２アンテナが第１アンテナのセクタの限界の外側にある時、かつセクタの２つの縁に対して内角基準が満足される時、セクタの拡張部を有する有効セル区域を図示する。
【図６Ｂ】本発明の実施例による、第２アンテナが第１アンテナのセクタの限界の外側にある時、かつセクタの１つの縁に対して内角基準が満足される時、セクタの拡張部を有する有効セル区域を図示する。
【図７】本発明の実施例による、２つのセルが同一点に位置するアンテナを有する場合に、２つのアンテナ間の等強度の線の周りの半影区域の決定を図示する。
【図８】本発明の実施例による、２つのセルが異なる点に位置し互いに対向するアンテナを有する場合に、２つのアンテナ間の等強度の線の周りの半影区域の決定を図示する。
【図９】本発明の実施例による、２つのセルが異なる点に位置し互いに対向するアンテナを有する場合のハンドオーバー区域の決定を図示する。
【図１０】本発明の実施例による、等強度の線が明確でない場合のハンドオーバー区域の決定を図示する。
【図１１】本発明の実施例による、セルラ網が時間進行データを使用する時のセルラ装置の評価位置をモデル化するために使用される、リング・セクタを図示する。
【図１２】本発明の実施例がその一部として使用される、交通情報システムのブロック線図。
【図１３】本発明の実施例による、セルラ装置を位置決めする装置のブロック線図。
【図１】
2008506285.tif 000003
【図２】
2008506285.tif 000004
【図３】
2008506285.tif 000005
【図４】
2008506285.tif 000006
【図５】
2008506285.tif 000007
【図６Ａ】
2008506285.tif 000008
【図６Ｂ】
2008506285.tif 000009
【図７】
2008506285.tif 000010
【図８】
2008506285.tif 000011
【図９】
2008506285.tif 000012
【図１０】
2008506285.tif 000013
【図１１】
2008506285.tif 000014
【図１２】
2008506285.tif 000015
【図１３】
2008506285.tif 000016
【国際調査報告】
2008506285.tif 000017
2008506285.tif 000018
2008506285.tif 000019